(57)【要約】      （修正有）【課題】パネルが衝撃または圧力を受けて動いたとしても外れるのを防ぐことができる強固な構造を有し、組立が簡単かつ迅速な連結部材を有するパーテーションを提供する。【解決手段】二つのパネル１および連結部材２を含み、パネル１は端縁１１を有し、連結部材２は第１の接続部２１、第２の接続部２２および少なくとも一つの嵌合部を有し、第１の接続部２１が両側に延伸した第１のＬ型翼部２１１を有し、中間に凸部２１２を有し、凸部２１２が少なくとも一つの溝２１３を有し、第２の接続部が両側に延伸した第２のＬ型翼部を有し、中間に凹部を有し、嵌合部が凹部に固定された連結部材２とを含み、接続部２１の凸部２１２に嵌合部が嵌合することにより、二つのパネル１を強固に結合するパーテーション。【選択図】図２
0003182149.tif 000002
【実用新案登録請求の範囲】
【請求項１】
端縁を有する二つのパネルと、
第１の接続部、第２の接続部および少なくとも一つの嵌合部を有し、前記第１の接続部が両側に延伸した第１のＬ型翼部を有し、中間に凸部を有し、前記凸部が少なくとも一つの溝を有し、前記第２の接続部が両側に延伸した第２のＬ型翼部を有し、中間に凹部を有し、前記嵌合部が前記凹部に固定された連結部材と、を含み、
前記第１の接続部が前記一方のパネルに固定され、前記第２の接続部が前記もう一方のパネルに固定され、前記二つの第１のＬ型翼部および前記第２のＬ型翼部がそれぞれ対応する前記端縁に結合され、前記凸部と前記凹部が相互に嵌合し、前記嵌合部が対応する前記溝に嵌合することを特徴とする連結部材を有するパーテーション。
【請求項２】
前記パネルは、板体で、一方の側面に凹溝を設け、前記凹溝に対する両側に二つの突起を有し、前記突起は二つの前記端縁を形成し、前記第１の接続部および前記第２の接続部はそれぞれ前記各凹溝に配置されることを特徴とする請求項１に記載の連結部材を有するパーテーション。
【請求項３】
前記第１の接続部および前記第２の接続部がそれぞれ複数の通孔を有し、前記板体が複数の穿孔を有し、前記各通孔および前記各穿孔を貫通して固定する複数の螺着デバイスを、さらに含むことを特徴とする請求項２に記載の連結部材を有するパーテーション。
【請求項４】
前記各パネルは、二つの薄板を含み、前記薄板は側端を有し、前記側端は端縁を形成していることを特徴とする請求項１に記載の連結部材を有するパーテーション。
【請求項５】
前記第１の接続部は、前記各第１のＬ型翼部の端部から反対方向に第１の折り曲げ部を延伸し、前記各第１のＬ型翼部と前記第１の折り曲げ部との間に第１の差し込み凹部を形成し、前記各側端はそれぞれ前記各第１の差し込み凹部に挿着され、前記二つの薄板の間に空間を形成していることを特徴とする請求項４に記載の連結部材を有するパーテーション。
【請求項６】
前記第２の接続部は、前記各第２のＬ型翼部の端部から反対方向に第２の折り曲げ部を延伸し、前記各第２のＬ型翼部と前記第２の折り曲げ部との間に第２の差し込み凹部を形成し、前記各側端はそれぞれ前記各第２の差し込み凹部に挿着され、前記二つの薄板の間に空間を形成していることを特徴とする請求項４に記載の連結部材を有するパーテーション。
【請求項７】
前記嵌合部は、本体、および前記本体から延伸した嵌合突起を有し、前記嵌合突起は溝に配置され、凸部に嵌合されることを特徴とする請求項１に記載の連結部材を有するパーテーション。
【請求項８】
前記第２の接続部の凹部に複数の孔洞を有し、前記本体は複数の貫孔を有し、前記各孔洞および前記各貫孔を貫通して固定する複数の螺着デバイスを、さらに含むことを特徴とする請求項７に記載の連結部材を有するパーテーション。
【請求項９】
第１の嵌合部、および前記第１の嵌合部に対応して噛み合う第２の嵌合部を有し、前記第１の嵌合部は前記一方のパネル１固定され、前記第２の嵌合部は、前記もう一方のパネルに固定されている留め金具を、さらに含むことを特徴とする請求項１に記載の連結部材を有するパーテーション。
【請求項１０】
前記パネルおよび前記連結部材の数量が複数で、前記各連結部材の前記嵌合部および前記溝の数量も複数で、前記各パネルは前記連結部材を介して交差するように組み合わせることができることを特徴とする請求項１に記載の連結部材を有するパーテーション。
【請求項１１】
端縁１１を有する二つのパネルと、
少なくとも二つの側面を周縁に有する柱体と、
第１の接続部、第２の接続部および少なくとも一つの嵌合部を有し、前記第１の接続部が両側に延伸した第１のＬ型翼部を有し、中間に凸部を有し、前記凸部が少なくとも一つの溝を有し、前記第２の接続部が両側に延伸した第２のＬ型翼部を有し、中間に凹部を有し、前記嵌合部が前記凹部に固定された連結部材と、
第１の結合部、第２の結合部および少なくとも一つの補助嵌合部を有し、前記第１の結合部は少なくとも一つの凹溝を有する凸出部を中間に設け、前記第２の結合部は内凹部を中間に設け、前記補助嵌合部は前記内凹部内に固定されている接続デバイスと、を含み、
前記第１の接続部は一前記方のパネルに固定され、前記第２の接続部は前記もう一方のパネルに固定され、前記二つの第１のＬ型翼部および前記第２のＬ型翼部はそれぞれ対応する前記端縁に結合され、前記第１の結合部および前記第２の結合部はそれぞれ前記側面に固定され、前記凸部は前記内凹部と相互に嵌合し、前記補助嵌合部は対応する前記溝に嵌合し、前記凸出部は前記凹部と嵌合し、前記嵌合部は前記凹溝と嵌合することを特徴とする連結部材を有するパーテーション。
【請求項１２】
前記パネルは、板体で、一方の側面に凹溝を設け、前記凹溝に対する両側に二つの突起を有し、前記突起は二つの前記端縁を形成し、前記第１の接続部および前記第２の接続部はそれぞれ前記各凹溝に配置されることを特徴とする請求項１１に記載の連結部材を有するパーテーション。
【請求項１３】
前記第１の接続部および前記第２の接続部がそれぞれ複数の通孔を有し、前記板体が複数の穿孔を有し、前記各通孔および前記各穿孔を貫通して固定する螺着デバイスを、さらに含むことを特徴とする請求項１２に記載の連結部材を有するパーテーション。
【請求項１４】
前記各パネルは、二つの薄板を含み、前記薄板は側端を有し、前記側端は端縁を形成していることを特徴とする請求項１１に記載の連結部材を有するパーテーション。
【請求項１５】
前記第１の接続部は、前記各第１のＬ型翼部の端部から反対方向に第１の折り曲げ部を延伸し、前記各第１のＬ型翼部と前記第１の折り曲げ部との間に第１の差し込み凹部を形成し、前記各側端はそれぞれ前記各第１の差し込み凹部に挿着され、前記二つの薄板の間に空間を形成していることを特徴とする請求項１４に記載の連結部材を有するパーテーション。
【請求項１６】
前記第２の接続部は、前記各第２のＬ型翼部の端部から反対方向に第２の折り曲げ部を延伸し、前記各第２のＬ型翼部と前記第２の折り曲げ部との間に第２の差し込み凹部を形成し、前記各側端はそれぞれ前記各第２の差し込み凹部に挿着され、前記二つの薄板の間に空間を形成していることを特徴とする請求項１４に記載の連結部材を有するパーテーション。
【請求項１７】
前記第１の結合部は、両側に二つの第１のＬ型翼部を延伸し、前記第２の結合部は、両側に二つの第２のＬ型翼部を延伸し、前記二つの第１のＬ型翼部は前記第２のＬ型翼部と相互に押し合い、前記二つの第２のＬ型翼部は前記第１のＬ型翼部と相互に押し合うことを特徴とする請求項１１に記載の連結部材を有するパーテーション。
【請求項１８】
前記嵌合部は、本体、および前記本体から延伸した嵌合突起を有し、前記嵌合突起は溝に配置され、凸部に嵌合され、前記第２の接続部の凹部に複数の孔洞を有し、前記本体は複数の貫孔を有し、前記各孔洞および前記各貫孔を貫通して固定する複数の螺着デバイスを、さらに含むことを特徴とする請求項１１に記載の連結部材を有するパーテーション。
【請求項１９】
前記補助嵌合部は、基体、および前記基体から延伸した嵌合突起を有し、前記嵌合突起は前記溝内に配置され、前記凸部と相互に嵌合することを特徴とする請求項１１に記載の連結部材を有するパーテーション。
【請求項２０】
前記第１の嵌合部、および前記第１の嵌合部に対応する前記第２の嵌合部を有し、前記第１の嵌合部は前記柱体に固定され、前記第２の嵌合部は前記一方のパネルに固定されている留め金具をさらに含むことを特徴とする請求項１１に記載の連結部材を有するパーテーション。
【考案の詳細な説明】
【技術分野】
【０００１】
本考案は、パーテーションに関し、特に、連結部材を有するパーテーションに関する。
【背景技術】
【０００２】
展示スペース、オフィスの個人スペース、プライベートな空間など、パーテーションにより囲まれてできる空間は多い。従来のパーテーションは、特許文献１に開示されているように、パネル、柱体および連結部材を含む。連結部材は、一組の留め金具を含む。一組の留め金具は、それぞれがパネルまたは柱体上に固定され、パネルと柱体上との間を留め金具を用いて結合する。これにより、独立したスペースが生み出されるのである。
【０００３】
しかし、一組の留め金具が凸部および凹部からなり、パネルと柱体上との間の結合が凸部および凹部の嵌合により行われると、パネルと柱体上との間の結合が強固でなく、位置決めが不十分であった。パネルが衝撃または圧力を受けて動いた場合、外れてしまう恐れがあり、ユーザーに危害を及ぼすことも考えられる。
【０００４】
本考案の連結部材を有するパーテーションは、上記の短所を改善するために考案されたものである。
【先行技術文献】
【特許文献】
【０００５】
【特許文献１】台湾実用新案第３０１３２６号
【考案の概要】
【考案が解決しようとする課題】
【０００６】
本考案の目的は、組立が簡単かつ迅速で、強固な構造を有する連結部材を有するパーテーションを提供することにある。
【課題を解決するための手段】
【０００７】
上述の目的を達成するため、本考案は、連結部材を有するパーテーションを提供する。本考案の連結部材を有するパーテーションは、二つのパネルおよび連結部材を含む。パネルは、端縁を有する。連結部材は、第１の接続部、第２の接続部および少なくとも一つの嵌合部を有する。接続部の凸部に嵌合部が嵌合することにより、二つのパネルを強固に結合する。
【考案の効果】
【０００８】
本考案の連結部材を有するパーテーションは、嵌合部が溝と嵌合することにより、各パネル間の位置決めを迅速かつ的確に行い、パネルが衝撃または圧力を受けて動いたとしても外れるのを防ぐことができる。また、組み立てが簡単かつ迅速で、構造が堅固である。
【図面の簡単な説明】
【０００９】
【図１】本考案の第１の実施形態による連結部材を有するパーテーションを示す組立分解図である。
【図２】本考案の第１の実施形態による連結部材を有するパーテーションを示す斜視図である。
【図３】本考案の第１の実施形態による連結部材を有するパーテーションを示す断面図である。
【図４】本考案の第１の実施形態による連結部材を有するパーテーションを示すもう一つの断面図である。
【図５】本考案の第１の実施形態による連結部材を有するパーテーションを示す分解断面図である。
【図６】本考案の第２の実施形態による連結部材を有するパーテーションを示す断面図である。
【図７】本考案の第３の実施形態による連結部材を有するパーテーションを示す図である。
【図８】本考案の第４の実施形態による連結部材を有するパーテーションを示す分解斜視図である。
【図９】本考案の第５の実施形態による連結部材を有するパーテーションを示す分解斜視図である。
【図１０】本考案の第６の実施形態による連結部材を有するパーテーションを示す分解斜視図である。
【考案を実施するための形態】
【００１０】
以下、本考案の実施形態を図面に基づいて説明する。
図１〜５を参照する。図１は、本考案の第１の実施形態による連結部材を有するパーテーションを示す組立分解図である。図２は、本考案の第１の実施形態による連結部材を有するパーテーションを示す斜視図である。図３は、本考案の第１の実施形態による連結部材を有するパーテーションを示す断面図である。図４は、本考案の第１の実施形態による連結部材を有するパーテーションを示すもう一つの断面図である。図５は、本考案の第１の実施形態による連結部材を有するパーテーションを示す分解断面図である。図１〜５に示すように、本考案の仕切り構造１０は、パネル１および連結部材２を含む。
【００１１】
パネル１は、二つの端縁１１を有する。以下、詳細に説明を加える。パネル１は、板体３で、一方の側面に凹溝３１を設け、凹溝３１に対する両側に二つの突起３２を有する。突起３２は、二つの端縁１１を形成している。また、板体３は、複数の穿孔３３を有する。
【００１２】
連結部材２は、第１の接続部２１、第２の接続部２２および少なくとも一つの嵌合部２３を有する。第１の接続部２１は、両側に延伸した第１のＬ型翼部２１１を有し、中間に凸部２１２を有する。凸部２１２は、少なくとも一つの溝２１３を有する。第２の接続部２２は、両側に延伸した第２のＬ型翼部２２１を有し、中間に凹部２２２を有する。嵌合部２３は、凹部２２２に固定される。
【００１３】
第１の接続部２１は、一方のパネル１に固定され、第２の接続部２２は、もう一方のパネル１に固定される。二つの第１のＬ型翼部２１１および第２のＬ型翼部２２１は、それぞれ対応する端縁１１に結合され、凸部２１２と凹部２２２が相互に嵌合する。嵌合部２３は、対応する溝２１３に嵌合する。
【００１４】
さらに詳細を説明する。凸部２１２は、第１の接続部２１の中間から突出したＵ字型板で、凹部２２２は、第２の接続部２２の中間で凹んだＵ字型溝である。第１の接続部２１および第２の接続部２２は、それぞれ複数の孔洞２２５を有し、凹溝３１内に配置されている。
【００１５】
嵌合部２３は、本体２３１、および本体２３１から延伸した嵌合突起２３２を有する。嵌合突起２３２は、溝２１３に配置され、凸部２１２に嵌合される。本体２３１は、複数の貫孔２３３を有する。
【００１６】
本考案のパーテーションは、複数の螺着デバイス４をさらに有する。螺着デバイス４は、それぞれ通孔２４および穿孔３３に螺着され、第１の接続部２１および第２の接続部２２をそれぞれパネル１に固定する。
【００１７】
複数の螺着デバイス４は、それぞれ貫孔２３３および孔洞２２５を貫通して嵌合部２３を凹部２２２に固定する。
【００１８】
本考案のパーテーションは、留め金具７をさらに有する。留め金具７は、第１の嵌合部７１、および第１の嵌合部７１に対応して噛み合う第２の嵌合部７２を有する。第１の嵌合部７１は、一方のパネル１に固定され、第２の嵌合部７２は、もう一方のパネル１に固定されている。
【００１９】
本考案の仕切り構造１０の組合せは、パネル１が端縁１１を有し、連結部材２が第１の接続部２１、第２の接続部２２および少なくとも一つの嵌合部２３を有い、第１の接続部２１が両側に延伸した第１のＬ型翼部２１１を有し、中間に凸部２１２を有し、凸部２１２が溝２１３を有し、第２の接続部２２が両側に延伸した第２のＬ型翼部２２１を有し、中間に凹部２２２を有し、嵌合部２３が凹部２２２に固定され、第１の接続部２１が一方のパネル１に固定され、第２の接続部２２がもう一方のパネル１に固定され、二つの第１のＬ型翼部２１１および第２のＬ型翼部２２１がそれぞれ対応する端縁１１に結合され、凸部２１２と凹部２２２が相互に嵌合し、嵌合部２３が対応する溝２１３に嵌合する。
【００２０】
以下、使用状態について説明する。第１の接続部２１が一方のパネル１に固定され、第２の接続部２２がもう一方のパネル１に固定される。第１のＬ型翼部２１１および第２のＬ型翼部２２１がそれぞれ対応する端縁１１に結合され、第１の接続部２１および第２の接続部２２が組み合わされ、凸部２１２と凹部２２２が相互に嵌合し、嵌合部２３が対応する溝２１３に嵌合する。これにより、第２の接続部２２の嵌合部２３が対応する第１の接続部２１の溝２１３と嵌合し、各パネル１間の位置決めを迅速かつ的確に行い、パネル１が衝撃または圧力を受けて動いたとしても、嵌合部２３のため、外れてしまう恐れがない。そのため、本考案の仕切り構造１０は、組み立てが簡単かつ迅速で、構造が堅固であるという長所を有する。また、嵌合突起２３２が傾斜状を呈しているため、溝２１３と結合すると、しっかり固定される。
【００２１】
図６を参照する。図６は、本考案の第２の実施形態による連結部材を有するパーテーションを示す断面図である。図６に示すように、パネル１は、二つの薄板３’を含む。薄板３’は、側端３１’を有する。側端３１’は、端縁１１を形成している。第１の接続部２１上で各第１のＬ型翼部２１１の端部から反対方向に第１の折り曲げ部２１４を延伸している。各第１のＬ型翼部２１１と第１の折り曲げ部２１４との間に第１の差し込み凹部２１５を形成している。各側端３１’は、それぞれ各第１の差し込み凹部２１５に挿着され、二つの薄板３’の間に空間Ｓを形成している。第１の接続部２１は、空間Ｓ内に配置されている。第２の接続部２２上で各第２のＬ型翼部２２１の端部から反対方向に第２の折り曲げ部２２３を延伸している。各第２のＬ型翼部２２１と第２の折り曲げ部２２３との間に第２の差し込み凹部２２４を形成している。各側端３１’は、それぞれ各第２の差し込み凹部２２４に挿着され、二つの薄板３’の間に空間Ｓを形成している。第２の接続部２２は、空間Ｓ内に配置されている。
【００２２】
第１の接続部２１が両側に二つの第１のＬ型翼部２１１を延伸し、第２の接続部２２が両側に二つの第２のＬ型翼部２２１を延伸し、各パネル１が板体３または薄板３’である場合、第１のＬ型翼部２１１と第２のＬ型翼部２２１が接触し、第１の接続部２１および第２の接続部２２を少なくとも第１のＬ型翼部２１１および第２のＬ型翼部２２１により、板体３または薄板３’と組み合わさる。これにより、連結部材２のパネル適応タイプを増加させ、連結部材２の使用範囲を広げることができる。
【００２３】
図５を参照する。図５に示すように、パネル１が板体３であった場合、板体３の接触面積が大きいため、第１の接続部２１および第２の接続部２２はどこにでも通孔２４を設けることができる。例えば、凸部２１２、凹部２２２、第１のＬ型翼部２１１または第２のＬ型翼部２２１上であるが、螺着デバイス４が通孔２４を介して第１の接続部２１および第２の接続部２２を板体３に固定する。
【００２４】
図６を参照する。図６に示すように、パネル１は、二つの薄板３’を含む場合、板体３の接触面積が小さいため、第１の接続部２１および第２の接続部２２は第１のＬ型翼部２１１および第２のＬ型翼部２２１にしか穴を設けることができなく、螺着デバイス４が穴を介して第１の接続部２１および第２の接続部２２を薄板３’に固定する。それ以外に、第１の接続部２１上で各第１のＬ型翼部２１１の端部から反対方向に第１の折り曲げ部２１４を延伸している。各第１のＬ型翼部２１１と第１の折り曲げ部２１４との間に第１の差し込み凹部２１５を形成している。各側端３１’は、それぞれ各第１の差し込み凹部２１５に挿着されている。第２の接続部２２上で各第２のＬ型翼部２２１の端部から反対方向に第２の折り曲げ部２２３を延伸している。各第２のＬ型翼部２２１と第２の折り曲げ部２２３との間に第２の差し込み凹部２２４を形成している。各３’は、それぞれ各第２の差し込み凹部２２４に挿着されている。
【００２５】
図７を参照する。図７は、本考案の第３の実施形態による連結部材を有するパーテーションを示す図である。図７に示すように、パネル１および連結部材２の数量が複数である。各連結部材２の嵌合部２３および溝２１３の数量も複数である。各パネル１は、連結部材２を介して交差するように組み合わせることができる。つまり、第２の接続部２２上の二つの嵌合部２３がそれぞれ第１の接続部２１の溝２１３に嵌合し、各パネル１を交差するように組み合わせ、相互に強固に結合させる。
【００２６】
図８を参照する。図８は、本考案の第４の実施形態による連結部材を有するパーテーションを示す分解斜視図である。図８に示すように、本実施形態のパネル１は、図１〜７における四角形のパネル１と異なり、半円弧形の板体である。パネル１の外形は、円形、弧状またはその他の形状でもよく、本実施形態に限定されるものではない。
【００２７】
図９を参照する。図９は、本考案の第５の実施形態による連結部材を有するパーテーションを示す図である。図９に示すように、本実施形態の仕切り構造１０は、二つのパネル１および連結部材２以外に、柱体５および接続デバイス６をさらに含む。柱体５は、少なくとも二つの側面５１を周縁に有する。接続デバイス６は、第１の結合部６１、第２の結合部６２および少なくとも一つの補助嵌合部６３を有する。第１の結合部６１は、少なくとも一つの凹溝６１２を有する凸出部６１１を中間に設けている。第２の結合部６２は、内凹部６２１を中間に設けている。補助嵌合部６３は、内凹部６２１内に固定されている。
【００２８】
第１の接続部２１は、一方のパネル１に固定され、第２の接続部２２は、もう一方のパネル１に固定される。二つの第１のＬ型翼部２１１および第２のＬ型翼部２２１は、それぞれ対応する端縁１１に結合される。第１の結合部６１および第２の結合部６２は、それぞれ側面５１に固定される。凸部２１２は、内凹部６２１と相互に嵌合する。補助嵌合部６３は、対応する溝２１３に嵌合する。凸出部６１１は、凹部２２２と嵌合する。嵌合部２３は、凹溝６１２と嵌合する。
【００２９】
詳細に説明すると、嵌合部２３は、本体２３１、および本体２３１から延伸した嵌合突起２３２を有する。嵌合突起２３２は、凹溝６１２内に配置され、凸出部６１１と相互に嵌合する。補助嵌合部６３は、基体６３１、および基体６３１から延伸した嵌合突起６３２を有する。嵌合突起６３２は、溝２１３内に配置され、凸部２１２と相互に嵌合する。
【００３０】
これにより、各パネル１間の接続は、一直線を呈する以外に、柱体５および接続デバイス６を介してＬ字型、Ｔ字型、Ｖ字型など各種の接続方法があり、仕切り構造１０の組み合わせの多様性を向上させることができる。
【００３１】
また、第１の結合部６１は、両側に二つの第１のＬ型翼部６１３を延伸し、第２の結合部６２は、両側に二つの第２のＬ型翼部６２２を延伸している。二つの第１のＬ型翼部６１３は、第２のＬ型翼部２２１と相互に押し合い、二つの第２のＬ型翼部６２２は、第１のＬ型翼部２１１と相互に押し合うことにより、第１のＬ型翼部２１１、第２のＬ型翼部２２１、第１のＬ型翼部６１３および第２のＬ型翼部６２２が連結部材２と接続デバイス６との間の結合部を覆うことになる。
【００３２】
図１０を参照する。図１０は、本考案の第６の実施形態による連結部材を有するパーテーションを示す図である。図１０に示すように、本実施形態の仕切り構造１０は、一つまたは複数の留め金具７をさらに含む。留め金具７は、第１の嵌合部７１、および第１の嵌合部７１に対応する第２の嵌合部７２を有する。第１の嵌合部７１は、一方のパネル１に固定され、第２の嵌合部７２は、もう一方のパネル１に固定されている。または、第１の嵌合部７１は、柱体５に固定され、第２の嵌合部７２は、一方のパネル１に固定されている。これにより、各パネル１と柱体５との間が留め金具７により相互に接続して各パネル１と柱体５とがさらにしっかり結合する。
【００３３】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００３４】
１  パネル
２  連結部材
３  板体
３’  薄板
４  螺着デバイス
５  柱体
６  接続デバイス
７  留め金具
１０  仕切り構造
１１  端縁
２１  第１の接続部
２２  第２の接続部
２３  嵌合部
２４  通孔
３１  凹溝
３１’  側端
３２  突起
３３  穿孔
５１  側面
６１  第１の結合部
６２  第２の結合部
６３  補助嵌合部
７１  第１の嵌合部
７２  第２の嵌合部
２１１  第１のＬ型翼部
２１２  凸部
２１３  溝
２１４  第１の折り曲げ部
２１５  第１の差し込み凹部
２２１  第２のＬ型翼部
２２２  凹部
２２３  第２の折り曲げ部
２２４  第２の差し込み凹部
２２５  孔洞
２３１  本体
２３２  嵌合突起
２３３  貫孔
６１１  凸出部
６１２  凹溝
６１３  第１のＬ型翼部
６２１  内凹部
６２２  第２のＬ型翼部
６３１  基体
６３２  嵌合突起
Ｓ  空間
【図１】
0003182149.tif 000003
【図２】
0003182149.tif 000004
【図３】
0003182149.tif 000005
【図４】
0003182149.tif 000006
【図５】
0003182149.tif 000007
【図６】
0003182149.tif 000008
【図７】
0003182149.tif 000009
【図８】
0003182149.tif 000010
【図９】
0003182149.tif 000011
【図１０】
0003182149.tif 000012